(57)【要約】【課題】自動券売機等の看板部の電照を長寿命化するとともに、色を簡単に選択できるようにする。【解決手段】利用者に対して所定の内容を案内する看板部の内側に冷陰極蛍光ランプを設けてその看板部を電照する。【選択図】　　　図１
2004045796.tif 000002
【特許請求の範囲】
【請求項１】
利用者に対して所定の内容を案内する看板部の内側に冷陰極蛍光ランプを設けてその看板部を電照することを特徴とする電照装置。
【請求項２】
請求項１の電照装置において、看板部は、外側に所定の文字や記号を記載した案内板を設けるとともに、内側に光線を分散させる分散板を設けて形成されることを特徴とする電照装置。
【請求項３】
請求項１又は２に記載の電照装置において、冷陰極蛍光ランプの明るさは、周囲の明るさ又は利用者の有無により調整されるものであることを特徴とする電照装置。
【請求項４】
請求項１〜３のいずれかに記載の電照装置において、看板部は、自動券売機等の駅務機器の看板部であることを特徴とする電照装置。
【発明の詳細な説明】
【０００１】
【発明の属する技術分野】
本発明は、自動券売機や自動精算機等の駅務機器の看板部に好適な電照装置に関する。
【０００２】
【従来の技術】
従来、自動券売機等の駅務機器の看板部に設けられている電照装置は、通常の蛍光ランプが用いられている。すなわち、従来の駅務機器の看板部に設けられる電照装置は、路線名や購入乗車券の種類等の所定の内容を記載（刻印を含む。）した案内板の裏側に通常の蛍光ランプを配置して構成されている。
【０００３】
【発明が解決しようとする課題】
しかしながら、上記従来の電照装置は、光源として通常の蛍光ランプが用いられているため、寿命が短く、また、発色が一定であるため、所定の色彩の看板を得るときは、その所定の色彩の板材を用いて案内板を作る必要があった。
【０００４】
そこで、本発明は、上記欠点を解決するためになされたものであって、その目的は、光源の寿命が長く、しかも、所定の色彩を容易に得ることのできる電照装置を提供することにある。
【０００５】
【課題を解決するための手段】
本発明に係る電照装置は、上記目的を達成するために、請求項１に記載の発明は、利用者に対して所定の内容を案内する看板部の内側に冷陰極蛍光ランプを設けてその看板部を電照することを特徴としている。
本発明の請求項２に記載の電照装置は、看板部は、外側に所定の文字や記号を記載した案内板を設けるとともに、内側に光線を分散させる分散板を設けて形成されることを特徴としている。
本発明の請求項３に記載の電照装置は、冷陰極蛍光ランプの明るさは、周囲の明るさ又は利用者の有無により調整されるものであることを特徴としている。
本発明の請求項４に記載の電照装置は、看板部は、自動券売機等の駅務機器の看板部であることを特徴としている。
【０００６】
【発明の実施の形態】
以下、本発明の実施の形態を図面に基づいて説明する。図１は、本発明に係る電照装置を自動券売機に適用したときのその自動券売機の本体（以下、「券売機本体」という。）の正面図、図２は、図１のＡ−Ａ線拡大断面図である。
【０００７】
この券売機本体ａの接客面ａ′の上部には、利用者（旅客）に対して所定の内容を案内する看板部１が設けられ、この看板部１の下方の接客面ａ′には、周知の自動券売機と同様に、口座釦を表示するタッチパネルからなる表示画面、枚数や小児（子供）券等を選択する選択釦群、硬貨や紙幣の投入口、プリペイドカード等のカード類の挿入口、釣銭の排出口、乗車券類の発券口等が設けられている。
【０００８】
上記看板部１は、図示の例では、券売機本体ａで購入できる乗車券類は○○○線用であり、また、その乗車券類の種類としては、普通券、回数券及び一日乗車券である旨が案内されている。この案内内容は、看板部１の外側（接客面ａ′側に位置している利用者（図示せず）側）に設けられている透光性のガラス板や合成樹脂板からなる案内板１ａにペイントを用いて記載（刻印も含む。）されている。そして、この案内板１ａの裏側（図２において右側）には、表面が凹凸状に形成された透光性のガラス板や合成樹脂板からなる分散板１ｂが設けられている。この分散板１ｂとしては、くもりガラスを用いることもできる。
【０００９】
図中、２ａ〜２ｃは、冷陰極蛍光ランプであり、ここでは３本設けられているが、１本又は４本以上とすることができる。これら冷陰極蛍光ランプ２ａ〜２ｃは、細い棒状を呈していて、両端が看板部１の図示しない筐体に取付具を介して横長となるように取付けられている。
【００１０】
これら冷陰極蛍光ランプ２ａ〜２ｃは、周知の市販の冷陰極蛍光ランプを使用することができる。すなわち、これら冷陰極蛍光ランプ２ａ〜２ｃは、正規グロー放電領域で動作する蛍光ランプであり、内面に蛍光体を塗布したガラス管内に希ガスと微量の水銀が封入されている。そして、ランプ両端の電極間に高電界（高周波）を加えて低圧の水銀蒸気中でグロー放電をさせ、放電により励起された水銀が紫外線（２５３．７ｎｍ）を発生させ、その発生された紫外線により蛍光体を励起し、励起された蛍光体原子が低エネルギー準位に戻るときのエネルギー差に相当する波長の光が放出されるように構成されている。放出される光は、蛍光体原子固有の光色を発するので、蛍光体を適宜選択することにより希望する色の光を得ることができる。
【００１１】
図３は、冷陰極蛍光ランプ２ａ〜２ｃを駆動させる標準的な回路図であり、インバータ回路から構成されている。すなわち、このインバータ回路Ｉは、電源として直流電圧が印加されるとインダクタＬ１　、抵抗Ｒ１　を通じてトランジスタＱ１　，Ｑ２　に電流が供給され、トランジスタＱ１　，Ｑ２　は、ＯＮ，ＯＦＦ動作を繰り返して発振する。主として共振用コンデンサＣ１　、トランスＴ１　と共振するこの発振は、正弦波に近い発振波形となる。トランスＴ１　は、１次巻線側に供給された電圧を、冷陰極蛍光ランプ２ａ（２ｂ，２ｃ）が点灯するのに必要な電圧まで昇圧して２次巻線側から出力し、そのトランスＴ１　で発生した高電圧は、バラストコンデンサＣ２　を介して冷陰極蛍光ランプ２ａ（２ｂ，２ｃ）に印加される。したがって、その発生した高電圧により冷陰極蛍光ランプ２ａ（２ｂ，２ｃ）を点灯させることができる。
【００１２】
これら冷陰極蛍光ランプ２ａ〜２ｃは、上述のように蛍光体を適宜選択することにより看板部１の色を任意に選択できるだけでなく、インバータ回路Ｉの電圧等を調整することにより容易にその明るさを調整することができる。したがって、券売機本体ａの周囲の明るさを検出して、又は、昼間と夜間とをタイマーで検出して看板部１の明るさを調整することができ、あるいは、券売機本体ａの接客面ａ′に焦電センサ等の利用者を検知するセンサを設け、そのセンサの出力により看板部１の明るさを容易に調整することができる。
【００１３】
なお、上述の例では、看板部１は自動券売機としたが、自動精算機や路線案内図等の他の駅務機器の看板部とすることができる。
【００１４】
【発明の効果】
本発明の請求項１に記載の電照装置は、利用者に対して所定の内容を案内する看板部の内側に冷陰極蛍光ランプを設けてその看板部を電照するので、寿命が長く、任意の色で看板部を電照することができる。
本発明の請求項２に記載の電照装置は、看板部は、外側に所定の文字や記号を記載した案内板を設けるとともに、内側に光線を分散させる分散板を設けて形成されるので、看板部の明るさが均一となり、案内内容が見やすくなる特長がある。
本発明の請求項３に記載の電照装置は、冷陰極蛍光ランプの明るさは、周囲の明るさ又は利用者の有無により調整されるので、看板部の明るさを利用者の見やすい明るさとすることができる。
本発明の請求項４に記載の電照装置は、看板部を自動券売機等の駅務機器の看板部としたので、駅務機器の看板部を効率よく電照することができる。
【図面の簡単な説明】
【図１】本発明に係る電照装置を自動券売機に適用したときの正面図である。
【図２】図１のＡ−Ａ線拡大断面図である。
【図３】インバータ回路の一例である。
【符号の説明】
ａ　自動券売機の本体（券売機本体）
ａ′　接客面
１　看板部
１ａ　案内板
１ｂ　分散板
２ａ〜２ｃ　冷陰極蛍光ランプ
【図１】
2004045796.tif 000003
【図２】
2004045796.tif 000004
【図３】
2004045796.tif 000005